(57)【要約】      （修正有）【課題】ＬＥＤを使用した灯体に、簡便な構造で、簡単に光の照射方向を調整できるリフレクタを取り付けて、車両用室内灯を安価に提供する。【解決手段】絶縁性ケース２３の端面にＬＥＤ２１を設けた灯体２０と、この灯体に取り付けたリフレクタ３３とを具備し、前記絶縁性ケースは、前記ＬＥＤを設けた側の外周が円形をなし、かつ、ローレット２６を形成し、前記リフレクタ３３は、前記ローレット２６に回動自在に嵌合した半円形の係合帯部３５と、この半円形の係合帯部３５と一体で前記ＬＥＤの照射光線３４を反射する反射板部とからなる。【選択図】図１
0003154315.tif 000002
【実用新案登録請求の範囲】
【請求項１】
絶縁性ケースの端面にＬＥＤを設けた灯体と、この灯体に取り付けたリフレクタとを具備し、前記絶縁性ケースは、前記ＬＥＤを設けた側の外周が円形をなし、かつ、ローレットを形成し、前記リフレクタは、前記ローレットに回動自在に嵌合した半円形の係合帯部と、この半円形の係合帯部と一体で前記ＬＥＤの照射光線を反射する反射板部とからなることを特徴とする車両用室内灯。
【請求項２】
リフレクタは、ステンレススチールの薄板からなり、半円形の係合帯部は、細幅で、ローレットに嵌合する馬蹄形をなし、この半円形の係合帯部の一端から延長した屈折可能な立上り部を介して円形の反射板部を一体に設け、この反射板部のＬＥＤとの対向面を鏡面仕上げしてなることを特徴とする請求項１記載の車両用室内灯。
【請求項３】
ＬＥＤは、円盤状のプリント基板の表面に取り付け、このプリント基板を絶縁性ケースの端面の開口部に取り付けてなることを特徴とする請求項１又は２記載の車両用室内灯。
【請求項４】
半円形の係合帯部は、ローレットと略同一の細幅を有し、馬蹄形に開口した両端部を内側に折曲してローレット係止部とし、半円形の係合帯部の上下面を一体に内方に折曲して複数個の外れ防止爪としたことを特徴とする請求項１、２又は３記載の車両用室内灯。
【考案の詳細な説明】
【技術分野】
【０００１】
本考案は、車両の室内に取り付けられ、照射方向を変えることのできるＬＥＤを使用した車両用室内灯に関するものである。
【背景技術】
【０００２】
従来のこの種の車両用室内灯は、図８に示すように、支持枠１０の球状内壁に、ランプバルブ１１を取り付けた球状ハウジング１２を旋回自在に嵌め込み構成されている（特許文献１）。前記球状ハウジング１２を図中の鎖線のように回動すると、リフレクタ兼用の球状ハウジング１２から投光口１３を経て照射する光の方向を変更することのできるようになっている
球状ハウジング１２が支持枠１０内で３６０度以上回転すると、リード線１４が捩れるので、球状ハウジング１２の外壁に設けたガイド溝１５と支持枠１０の内壁に設けた係合突起１６とを係合して球状ハウジング１２が一定以上回転しないような回り止め機構を有する。
【先行技術文献】
【特許文献】
【０００３】
【特許文献１】実開平４−５８４４６号公報。
【考案の概要】
【考案が解決しようとする課題】
【０００４】
図８に示す従来の車両用室内灯は、内壁を球状に形成した支持枠１０と、この支持枠１０に嵌め込まれ、ランプバルブ１１を取り付けるとともに、ランプバルブ１１の反対側投光口１３を形成した旋回自在の球状ハウジング１２と、球状ハウジング１２の外壁に設けたガイド溝１５と支持枠１０の内壁に設けた係合突起１６とによる一定以上回転しないような回り止め機構とで構成されている。
このように複雑な構造の部品で構成されているため極めて高価になるばかりか、支持枠１０内で球状ハウジング１２が車両の振動で角度を変えてしまったりしないように程よい抵抗感を持って旋回する調整が面倒で、更に、照射方向の角度が支持枠１０から投光口１３が突出している範囲θに限られるなどの問題があった。
【０００５】
本考案は、ランプバルブとしてＬＥＤを使用し、かつ、口金と一体に設けたケースにリフレクタを回転及び角度調整自在に取り付けて安価に、かつ、光の照射方向を簡単に調整できる車両用室内灯を提供することを目的とするものである。
【課題を解決するための手段】
【０００６】
本考案による車両用室内灯は、絶縁性ケースの端面にＬＥＤを設けた灯体と、この灯体に取り付けたリフレクタとを具備し、前記絶縁性ケースは、前記ＬＥＤを設けた側の外周が円形をなし、かつ、ローレットを形成し、前記リフレクタは、前記ローレットに回動自在に嵌合した半円形の係合帯部と、この半円形の係合帯部と一体で前記ＬＥＤの照射光線を反射する反射板部とからなることを特徴とする。
【０００７】
リフレクタは、ステンレススチールの薄板からなり、半円形の係合帯部は、細幅で、ローレットに嵌合する馬蹄形をなし、この半円形の係合帯部の一端から延長した屈折可能な立上り部を介して円形の反射板部を一体に設け、この反射板部のＬＥＤとの対向面を鏡面仕上げしてなることを特徴とする。
【０００８】
ＬＥＤは、円盤状のプリント基板の表面に取り付け、このプリント基板を絶縁性ケースの端面の開口部に取り付けてなり、また、
半円形の係合帯部は、ローレットと略同一の細幅を有し、馬蹄形に開口した両端部を内側に折曲してローレット係止部とし、半円形の係合帯部の上下面を一体に内方に折曲して複数個の外れ防止爪としたことを特徴とする。
【考案の効果】
【０００９】
請求項１記載の考案によれば、絶縁性ケースの端面にＬＥＤを設けた灯体と、この灯体に取り付けたリフレクタとを具備し、前記絶縁性ケースは、前記ＬＥＤを設けた側の外周が円形をなし、かつ、ローレットを形成し、前記リフレクタは、前記ローレットに回動自在に嵌合した半円形の係合帯部と、この半円形の係合帯部と一体で前記ＬＥＤの照射光線を反射する反射板部とからなるので、省電力のＬＥＤからなる灯体に、簡単な構成のリフレクタを嵌め込むだけで照射方向を変えることができるので、部品点数を極端に少なくできるのみならず、エネルギーの省力化を達成することができる。
また、口金と一体に設けたケースにリフレクタを回転及び角度調整自在に取り付けて安価に、かつ、光の照射方向を簡単に調整できる車両用室内灯を提供することができる。
【００１０】
請求項２記載の考案によれば、リフレクタは、ステンレススチールの薄板からなり、半円形の係合帯部は、細幅で、ローレットに嵌合する馬蹄形をなし、この半円形の係合帯部の一端から延長した屈折可能な立上り部を介して円形の反射板部を一体に設け、この反射板部のＬＥＤとの対向面を鏡面仕上げしてなるので、角度調整範囲を拡大することができる。
【００１１】
請求項３記載の考案によれば、ＬＥＤは、円盤状のプリント基板の表面に取り付け、このプリント基板を絶縁性ケースの端面の開口部に取り付けたので、部品点数を大幅に減らし、故障がなく、しかも安価に提供できる。
【００１２】
請求項４記載の考案によれば、半円形の係合帯部は、ローレットと略同一の細幅を有し、馬蹄形に開口した両端部を内側に折曲してローレット係止部とし、半円形の係合帯部の上下面を一体に内方に折曲して複数個の外れ防止爪としたので、ローレットとローレット係止部が確実に係止し、車両の振動等で角度変わったりせず、しかも、半円形の係合帯部の回動も円滑であり、さらに、灯体にリフレクタを組み込む作業が簡単にできる。
【図面の簡単な説明】
【００１３】
【図１】本考案による車両用室内灯の一実施例を示す正面図である。
【図２】図１におけるリフレクタ３３の斜視図である。
【図３】図１における灯体２０の平面図である。
【図４】図１における灯体２０の縦断面図である。
【図５】本考案による車両用室内灯をソケット４０に取り付けた状態の斜視図である。
【図６】本考案による車両用室内灯の他の実施例を示す正面図である。
【図７】他の実施例の車両用室内灯をソケット４０に取り付けた状態の斜視図である。
【図８】従来の車両用室内灯の断面図である。
【考案を実施するための形態】
【００１４】
本考案による車両用室内灯は、絶縁性ケースの端面にＬＥＤを設けた灯体と、この灯体に取り付けたリフレクタとを具備する。前記絶縁性ケースは、前記ＬＥＤを設けた側の外周が円形をなし、かつ、ローレットを形成する。前記リフレクタは、前記ローレットに回動自在に嵌合した半円形の係合帯部と、この半円形の係合帯部と一体で前記ＬＥＤの照射光線を反射する反射板部とからなる。
【００１５】
前記リフレクタは、ステンレススチールの薄板からなる。半円形の係合帯部は、細幅で、ローレットに嵌合する馬蹄形をなす。この半円形の係合帯部の一端から延長した屈折可能な立上り部を介して円形の反射板部を一体に設ける。この反射板部のＬＥＤとの対向面を鏡面仕上げとする。
【００１６】
前記ＬＥＤは、円盤状のプリント基板の表面に取り付け、このプリント基板を絶縁性ケースの端面の開口部に取り付ける。
【００１７】
半円形の係合帯部は、ローレットと略同一の細幅を有し、馬蹄形に開口した両端部を内側に折曲してローレット係止部とし、半円形の係合帯部の上下面を一体に内方に折曲して複数個の外れ防止爪とする。
【実施例１】
【００１８】
以下、本考案の実施例１を図１ないし図５に基づき説明する。
本考案による車両用室内灯は、灯体２０と、この灯体２０に着脱自在に嵌合されるリフレクタ３３とからなる。前記灯体２０は、図４に示すように、両端を開口した円筒形の絶縁性ケース２３と、この絶縁性ケース２３の他端側のすり鉢状の絶縁性底部２４と、これらの絶縁性ケース２３と絶縁性底部２４の外周を一体的に連結する導電性を有する円筒形の口金２９とからなり、前記絶縁性ケース２３の露出した端面の開口部２５には、円盤状のプリント基板２２が嵌め込み固着されている。また、前記絶縁性ケース２３の先端部の外周には、中心角が約１０度のピッチで丸みを持ったローレット２６が形成され、このローレット２６には、本考案特有のリフレクタ３３が回転自在に嵌め込まれている。
【００１９】
前記プリント基板２２には、表面に３個のＬＥＤ２１が中心角１２０度の等間隔で配置され、裏面にスイッチングダイオード２７が取り付けられているとともに、２個の抵抗素子２８が接続されている。一方の抵抗素子２８の他端部のリード線は、前記口金２９の上端部の外部で陰極端子３１として接続され、また、他方の抵抗素子２８の他端部のリード線は、前記絶縁性底部２４の先端部で陽極端子３０として接続されている。前記プリント基板２２の開口部２５との嵌合部に位置した外周に３個の熱放射切欠き３９が等間隔で形成されている。
【００２０】
前記リフレクタ３３は、ステンレススチールなどの金属板からなり、図２に示すように、前記プリント基板２２よりやや大き目の円形の反射板部３４と、この反射板部３４と半円形の係合帯部３５とを立上り部３６で一体に連続してプレス打ち抜き加工等で形成される。この半円形の係合帯部３５は、幅が前記ローレット２６と略同一で、直径が前記ローレット２６を有する外径よりやや小径で、中心角で約１１０度が開口した馬蹄形をなしている。この半円形の係合帯部３５には、開口した両端部がわずかに内方に屈曲してローレット係止部３７となり、また、上面と下面にそれぞれ４個ずつの外れ防止爪３８が略等間隔で内方に屈曲して形成されている。前記反射板部３４のＬＥＤ２１と対向する内面は、研磨による鏡面仕上げや鏡面のめっき仕上げを施し、反射鏡を構成している。
なお、前記反射部３４は、平坦面としたが、使用目的により凹面鏡や凸面鏡としてもよい。また、この反射部３４は、円形に限られるものではなく、使用目的により、楕円形、正四角形、長方形、多角形、これらの組み合わせの形状などであってもよい。
【００２１】
以上のように構成されたリフレクタ３３付きの灯体２０は、車内に設けられた図５のようなソケット４０のＬ字状の差込溝４１に、口金２９の係止突起３２をガイドしつつ差込み捩じ込んで取り付ける。そして、電源を入れてリード線４２から電力を供給してＬＥＤ２１を点灯すると、このＬＥＤ２１から発射された光線は、リフレクタ３３の反射板部３４で反射して特定の位置を照射する。照射位置を変えるときには、半円形の係合帯部３５のローレット係止部３７部分をわずかに開くようにしてローレット２６の外周を回転すると共に、反射板部３４の角度を立上り部３６部分で屈折して変える。
このように、本考案では、省電力のＬＥＤからなる灯体２０に、簡単な構成のリフレクタ３３を嵌め込むだけで照射方向を変えることができるので、部品点数を極端に少なくできるのみならず、エネルギーの省力化を達成することができる。
【実施例２】
【００２２】
前記実施例１では、灯体２０の口金２９が円筒形で、円筒形のソケット４０に嵌め込み取り付けるようにした。
しかし、このタイプに限られるものではなく、図６及び図７に示すように、口金２９が偏平であって、ソケット４０の偏平な差込溝４１に圧入するタイプであってもよい。
【符号の説明】
【００２３】
１０…支持枠、１１…ランプバルブ、１２…球状ハウジング、１３…投光口、１４…リード線、１５…ガイド溝、１６…係合突起、２０…灯体、２１…ＬＥＤ、２２…プリント基板、２３…絶縁性ケース、２４…絶縁性底部、２５…開口部、２６…ローレット、２７…スイッチングダイオード、２８…抵抗素子、２９…口金、３０…陽極端子、３１…陰極端子、３２…係止突起、３３…リフレクタ、３４…反射板部、３５…半円形の係合帯部、３６…立上り部、３７…ローレット係止部、３８…外れ防止爪、３９…熱放射切欠き、４０…ソケット、４１…差込溝、４２…リード線。
【図１】
0003154315.tif 000003
【図２】
0003154315.tif 000004
【図３】
0003154315.tif 000005
【図４】
0003154315.tif 000006
【図５】
0003154315.tif 000007
【図６】
0003154315.tif 000008
【図７】
0003154315.tif 000009
【図８】
0003154315.tif 000010